(57)【要約】      （修正有）【課題】移動可能なテ−ブルのストッパ装置に好適で、容易かつ速やかに操作できるとともに、安定した使用状態を得られるテ−ブル等のストッパ装置を提供する。【解決手段】キャスタ−１７,２７を取り付け可能な脚柱１４と前記脚柱１４に取り付け可能な装置本体２６と前記脚柱１４の上面に突出かつ押圧可能に設けた操作手段３１と前記操作手段３１に係合可能に設けた制御手段３０と前記制御手段３０の上下動に同動可能に取り付け、下端部が床面４２と接地または離間可能なストッパ２８を設け、操作手段３１の押圧操作を介して、前記ストッパ２８を交互に上動または下動可能とする。【選択図】図３
2006223484.tif 000002
【特許請求の範囲】
【請求項１】
キャスタ−を取り付け可能な脚柱と、該脚柱に取り付け可能な装置本体と、前記脚柱の上面に突出かつ押圧可能に設けた操作手段と、該操作手段に係合可能に設けた制御手段と、該制御手段の上下動に同動可能に取り付け、下端部が床面と接地または離間可能なストッパとを備えた、テ−ブル等のストッパ装置において、前記装置本体に前記操作手段と制御手段とを上下動可能に収容可能なカム室を設け、該カム室に複数のガイド溝とガイドカムとを交互に形成し、前記操作手段の周面に前記ガイド溝に摺動可能に係合可能な複数の係合歯を設け、前記制御手段の周面に前記ガイド溝に摺動可能に係合可能な複数の係合歯と、前記操作手段と前記ガイドカムに係脱可能な複数のドグを突設し、前記操作手段の押圧操作を介して、前記ストッパを交互に上動または下動可能にしたことを特徴とするテ−ブル等のストッパ装置。
【請求項２】
前記操作手段の押圧操作を介して、前記制御手段を間欠回動可能にし、前記ガイドカムとドグとを交互に係脱可能にした請求項１記載のテ−ブル等のストッパ装置。
【請求項３】
前記ストッパの床面接地時、前記キャスタ−を床面に着地可能にした請求項１記載のテ−ブル等のストッパ装置。
【請求項４】
前記装置本体に前記キャスタ−を取り付け可能にした請求項１記載のテ−ブル等のストッパ装置。
【発明の詳細な説明】
【技術分野】
【０００１】
本発明は、例えば移動可能なテ−ブルのストッパ装置に好適で、ストッパ操作の労力を軽減し、一様な操作で容易かつ速やかに操作できるとともに、ストッパ装置の強度を低減し構成を簡潔化して、これを安価に製作でき、しかもストッパ使用時における天板の水平状態を維持して、天板ないしテ−ブルの安定した使用状態を得られるようにした、テ−ブル等のストッパ装置に関する。
【背景技術】
【０００２】
一般に移動可能なテ−ブルや椅子には、脚部にキャスタ−が取り付けられ、その移動位置の保持手段としてストッパ装置が設けられている。
例えば、折り畳みテ−ブルのストッパ装置として、キャスタ−を取り付けた脚柱の端部に、第１および第２操作ペダルを枢軸を中心に上下方向へ回動可能に支持し、かつ前記第１操作ペダルの押圧操作によって第２操作ペダルを上方へ回動可能に設け、第２操作ペダルの直下にストッパを上動可能に付勢し、かつ第２操作ペダルとストッパの頭部とを係合可能に配置し、テ−ブルの移動時は、第１操作ペダルを押圧して第２操作ペダルを上方へ回動させ、その上動変位分ストッパを同動させて、ストッパの下端部を床面から浮上させ、テ−ブルの移動拘束時は、第２操作ペダルを押圧してストッパを押し下げ、該ストッパの下端部を床面に押圧し、近接配置したキャスタ−を床面から浮上させるようにしたものがある（例えば、特許文献１参照）。
【０００３】
しかし、前記ストッパ装置は、テ−ブルの移動拘束時、第２操作ペダルを押圧してストッパの下端部を床面に押圧し、近接配置したキャスタ−を床面から浮上させ、テ−ブル重量の一部をストッパで支持させているため、前記ペダル操作に大きな押圧力を要するとともに、ストッパ装置を堅牢に構成しなければならず、しかもテ−ブルの移動拘束時に天板を水平に設定しているため、テ−ブルの移動時は、天板が若干後ろ下がり状態になって、天板上の載置物の安全性に不安があった。
また、前記ストッパ装置は、操作部材として第１および第２操作ペダルを要し、部品点数が増えて構成が複雑化する上に、これらの操作に異なった姿勢を要する不都合があった
【０００４】
【特許文献１】特許第２９１８４７６号公報
【発明の開示】
【発明が解決しようとする課題】
【０００５】
本発明はこのような問題を解決し、例えば移動可能なテ−ブルのストッパ装置に好適で、ストッパ操作の労力を軽減し、一様な操作で容易かつ速やかに操作できるとともに、ストッパ装置の強度を低減し構成を簡潔化して、これを安価に製作でき、しかもストッパ使用時における天板の水平状態を維持して、天板ないしテ−ブルの安定した使用状態を得られるようにした、テ−ブル等のストッパ装置を提供することを目的とする。
【課題を解決するための手段】
【０００６】
請求項１の発明は、キャスタ−を取り付け可能な脚柱と、該脚柱に取り付け可能な装置本体と、前記脚柱の上面に突出かつ押圧可能に設けた操作手段と、該操作手段に係合可能に設けた制御手段と、該制御手段の上下動に同動可能に取り付け、下端部が床面と接地または離間可能なストッパとを備えた、テ−ブル等のストッパ装置において、前記装置本体に前記操作手段と制御手段とを上下動可能に収容可能なカム室を設け、該カム室に複数のガイド溝とガイドカムとを交互に形成し、前記操作手段の周面に前記ガイド溝に摺動可能に係合可能な複数の係合歯を設け、前記制御手段の周面に前記ガイド溝に摺動可能に係合可能な複数の係合歯と、前記操作手段と前記ガイドカムに係脱可能な複数のドグを突設し、前記操作手段の押圧操作を介して、前記ストッパを交互に上動または下動可能にし、単一の操作手段による一様な操作によってストッパ操作を実現し、操作の容易化と迅速性を図るとともに、ストッパの上動時にストッパ機能を解除し、テ−ブルの移動を実現する一方、ストッパの下動時にストッパを機能させ、テ−ブルの安定した使用状態を得られるようにしている。
【０００７】
請求項２の発明は、前記操作手段の押圧操作を介して、前記制御手段を間欠回動可能にし、前記ガイドカムとドグとを交互に係脱可能して、ストッパの上動または下動を交互に得られるようにしている。
請求項３の発明は、前記ストッパの床面接地時、前記キャスタ−を床面に着地可能にし、ストッパ操作時における操作手段の操作力を軽減するとともに、ストッパ操作時にストッパ装置に掛かる負荷を軽減し、その支持強度を緩和して、ストッパ装置の安価な製作を実現するとともに、テ−ブル使用時における天板の水平度を維持し、安全な使用状態を得られるようにしている。
請求項４の発明は、前記装置本体に前記キャスタ−を取り付け可能にして、装置本体に複数部品を組み込んでユニット化し、脚柱に対する取り付けを合理化して、装置本体を簡易かつ迅速に取り付けられるようにしている。
【発明の効果】
【０００８】
請求項１の発明は、装置本体に前記操作手段と制御手段とを上下動可能に収容可能なカム室を設け、該カム室に複数のガイド溝とガイドカムとを交互に形成し、前記操作手段の周面に前記ガイド溝に摺動可能に係合可能な複数の係合歯を設け、前記制御手段の周面に前記ガイド溝に摺動可能に係合可能な複数の係合歯と、前記操作手段と前記ガイドカムに係脱可能な複数のドグを突設し、前記操作手段の押圧操作を介して、前記ストッパを交互に上動または下動可能にしたから、単一の操作手段による一様な操作によってストッパ操作を実現し、操作の容易化と迅速性を図れるとともに、ストッパの上動時にストッパ機能を解除し、テ−ブルの移動を実現する一方、ストッパの下動時にストッパを機能させ、テ−ブルの安定した使用状態を得られる効果がある。
【０００９】
請求項２の発明は、前記操作手段の押圧操作を介して、前記制御手段を間欠回動可能にし、前記ガイドカムとドグとを交互に係脱可能したから、ストッパの上動または下動を交互に実現することができる。
請求項３の発明は、前記ストッパの床面接地時、前記キャスタ−を床面に着地可能にしたから、ストッパ操作時における操作手段の操作力を軽減するとともに、ストッパ操作時にストッパ装置に掛かる負荷を軽減し、その支持強度を緩和して、ストッパ装置の安価な製作を実現することができるとともに、テ−ブル使用時における天板の水平度を維持し、安全な使用状態を得られる効果がある。
請求項４の発明は、前記装置本体に前記キャスタ−を取り付け可能にしたから、装置本体に複数部品を組み込んでユニット化し、脚柱に対する取り付けを合理化して、装置本体を簡易かつ迅速に取り付けることができる。
【発明を実施するための最良の形態】
【００１０】
以下、本発明を平行スタッキング可能な折り畳みテ−ブルに適用した図示の実施形態について説明すると、図１乃至図１２において１は横長矩形の天板で、その下面の両端部に補強フレ−ム２が取り付けられている。
前記補強フレ−ム２は鋼板を略Ｕ字形断面に折曲して形成され、その一対の屈曲片２ａ，２ａ間に、ピン３を介して一対のブラケット４が回動可能に支持されている。
【００１１】
前記ブラケット４は、天板１の下方に配置した支持軸５の両端部周面に溶接され、該支持軸５の両端部に連結金具６が溶接されている。一方、天板１の両端部の下方に支柱７が配置され、該支柱７の上端部内側周面に継手金具８が溶接され、該継手金具８に前記連結金具６がビス止め等で連結されている。
【００１２】
前記支柱７は楕円形断面の鋼管で構成され、その長軸側を前後方向に配置していて、該支柱７の前方に横長矩形の幕板９が取り付けられている。
前記幕板９の上下端部にリンク１０,１１が設けられ、該リンク１０,１１を介し天板１の折り畳み動作に連動して、折り畳み可能にされている。１２は補強フレ−ム２に取り付けた収容棚、１３は支柱７の上端部に装着したキャップである。
【００１３】
前記支柱７の下端部にアルミニウム製の脚柱１４が連結され、該脚柱１４の前部側の中間部に位置決め突起１５が成形され、支柱７の下端部に係合可能にされている。
前記位置決め突起１５の内側にボルト挿通孔１６が設けられ、該挿通孔１６に挿入したボルト（図示略）を、支柱７の下端部に設けたネジ孔（図示略）にネジ込み可能にしている。
【００１４】
前記脚柱１４の前端部に、キャスタ−１７の取付ボルト１８をねじ込み可能なネジ孔１９が設けられ、その後端部に凹溝２０が成形されている。前記凹溝２０の前後位置に略卵形の通孔２１と凹孔２２とが離間して成形され、該通孔２１と凹孔２２の両側にネジ孔２３,２４が形成され、これらのネジ孔２３,２４にストッパ装置２５が取り付けられている
【００１５】
前記ストッパ装置２５は、その装置本体２６と、該本体２６に取り付け可能なキャスタ−２７およびストッパ２８と、本体２６のカム室２９に収容可能な制御手段である制御カム３０と、操作手段である操作カム３１と、を備えている。
このうち、装置本体２６は合成樹脂によって長尺の小判形に成形され、その一端部に軸筒部３２が突設され、前記凹孔２２に収容可能にされている。前記軸筒部３２にネジ孔３３が形成され、該ネジ孔３３にキャスタ−２７の取付ボルト３４をねじ込み可能にしている。図中、３５は装置本体２６の一端部に突設した脚片で、その先端部にビス孔３６が形成されている。
【００１６】
前記装置本体２６の他端部に筒状ガイド３６が一体成形され、該ガイド３６内に前記カム室２９が形成されている。前記カム室２９は円筒状に形成され、その下端部にフランジ３７が内側に突設され、該フランジ３７に透孔３８が形成されている。
前記カム室２９の上部は装置本体２６に開口され、該カム室２９の略上半部周面に複数のガイドカム３９が等角度位置に突設され、該カム３９の間にガイド溝４０が成形されている。
前記ガイドカム３９の断面形状は略台形に形成され、その下端部に略鋸歯スペ−ス状の切欠部４１が形成され、該切欠部４１に制御カム３０の後述するドグを係脱可能にしている。
【００１７】
前記ストッパ２８は合成樹脂製の円板状に形成され、その下面を床面４２に接地可能にされ、その中央に合成樹脂製のストッパシャフト４３を突設していて、該シャフト４３を前記透孔３８に上下動可能に挿入している。
前記ストッパシャフト４３の上端部にネジ孔４４が形成され、該ネジ孔４４にビス４５がねじ込まれ、該ビス４５の頭部に制御カム３０の軸筒部が係合可能に取り付けられている。したがって、制御カム３０とストッパシャフト４３とは一体に上動可能にされている
【００１８】
前記制御カム３０は合成樹脂製の軸筒部４６を有し、該軸筒部４４の内部に貫通孔４７が形成され、該貫通孔４７に前記ストッパシャフト４３が摺動可能に挿入され、該シャフト４３の上端部が前記ビス４５の頭部に当接可能にされている。
前記軸筒部４６の下部に円板状のカム板４８が一体成形され、該カム板４８はガイドカム３９の内面に挿入可能にされ、その周面に複数の係合歯４９が等角度位置に一体成形され、該係合歯４９が前記ガイド溝４０に摺動可能に嵌合している。
【００１９】
前記係合歯４９上に複数のドグ５０が一体成形され、その上端部が軸筒部４６の上部周面に延設されていて、その上端部にテ−パ状の係合突起５１が成形されている。  
前記係合突起５１の外側部は前記切欠部４１に係合可能にされ、該係合突起５１の内側部が後述する操作カム３１の係合爪と噛合可能にされている。
【００２０】
前記操作カム３１は合成樹脂製の軸筒部５２を有し、該軸筒部５２の内部に凹孔５３が形成され、該凹孔５３に前記軸筒部４６が挿入されている。前記軸筒部５２の下部周面に、前記係合歯４９と同形の複数の係合歯５４が等角度位置に一体成形され、該係合歯５４が前記ガイド溝４０に摺動可能に嵌合している。
前記カム室２９の上側開口部周縁に凹溝２０の底部が突出して配置され、該突出部に係合歯５４の上端部が係合可能に配置され、通孔２１から操作カム３１を抜け止めしている
【００２１】
前記操作カム３１の下端部周面に鋸歯状の複数の係合爪５５が形成され、該係合爪５５が前記係合突起５１と噛合可能にされ、それらの係合部のテ−パ形状は一方向に形成されていて、操作カム３１に対し制御カム３０を一方方向に係合かつ回動可能にしている。
【００２２】
前記操作カム３１の上端部は略卵形の平面形状に形成され、該上端部に平面形状が略卵形の合成樹脂製のキャップ５６が嵌着され、これらを前記通孔２１に収容している。実施形態では操作カム３１とキャップ５６とを色違いの合成樹脂で構成し、ストッパ操作の有無を視覚的に確認可能にしている。
【００２３】
図中、５７は前記ストッパ２８とカム板４８との間に介挿したセットスプリングで、その弾性を介してストッパ２８を下方へ付勢している。また、５８は前記フランジ３７とカム板４８との間に介挿したセットスプリングで、その弾性を介して制御カム３０と操作カム３１を上方へ付勢し、係合突起５１を切欠部５１と該係合爪５５とに係合可能にしている。
【００２４】
この他、図中５９は装置本体２６の他端部に突設した脚片で、その先端部にビス孔６０が形成されている。６１は装置本体２６の下面に突設した一対の補強リブ、６２は筒状ガイド３６の上部周面に突設した位置決め突起である。６３は天板１の折り畳み用レバ−ハンドルで、ハンドル軸６４を中心に回動可能に設けられている。
【００２５】
このように構成したテ−ブル等のストッパ装置は、前後にキャスタ−１７,２７を取り付けた左右一対の脚柱１４の後端部に取り付けられ、そのストッパ装置２５は大別すると、脚柱１４と、装置本体２６と、ストッパ２８と、制御カム３０と、操作カム３１とからなり、それらの製作を要する。
【００２６】
この場合、ストッパ装置２５は後述のように、ストッパ操作時にキャスタ−の一方を床面４２から浮上させる必要がなく、したがって前記キャスタ−周辺のテ−ブル重量を支持する必要がないから、その分支持強度を緩和でき、安価に製作できる。
【００２７】
このうち、脚柱１４はアルミニウム材を成形し、その前端部にネジ孔１９を形成し、後端部に凹溝２０を成形し、該凹溝２０の前後位置に略卵形の通孔２１と凹孔２２とを離間して成形し、通孔２１と凹孔２２の両側にネジ孔２３,２４を形成する。
【００２８】
前記装置本体２６を合成樹脂で一体成形し、その一端部の軸筒部３２にネジ孔３３を形成し、他端部の筒状ガイド３６内にカム室２９を成形し、該カム室２９の下端部にフランジ３７を内側に突出成形し、その上半部内面に複数のガイドカム３９とガイド溝４０とを等角度位置に成形し、ガイドカム３９の下端部に切欠部４１を成形する。
【００２９】
また、前記制御カム３０を合成樹脂で一体成形し、その軸筒部４６にカム板４８を一体成形し、該カム板４８の周面に複数の係合歯４９を等角度位置に成形するとともに、係合歯４９の一つ置きにドグ５０を軸方向に突出成形し、その上端部にテ−パ状の係合突起５１を成形する。
【００３０】
前記操作カム３１を合成樹脂で一体成形し、その軸筒部５２の下部周面に複数の係合歯５４を等角度位置に成形し、軸筒部５２の下端部周面に鋸歯状の複数の係合爪５５を成形するとともに、軸筒部５２の上端部にキャップ５６を嵌着または接着する。
このよう前記構成部品は型成形または樹脂成形によって製作され、機械加工を可及的に抑制したから、安定した品質と寸法精度を得られ、これを安価に製作できる。
【００３１】
前記構成部品を用いてストッパ装置２５を組み立てる場合は、ストッパ２８と一体的なストッパシャフト４３を装置本体２６の外側から、透孔３８を介してカム室２９に挿入し、該シャフト４３にカム室２９側からセットスプリング５７を挿入し、その一端をストッパ２８上に収容し、別のセットスプリング５８をカム室２９に挿入し、その一端をフランジ３７上に収容する。
【００３２】
次に、前記カム室２９内のストッパシャフト４３に制御カム３０の貫通孔４７を挿入し、かつ前記カム３０を押圧して、前記セットスプリング５７,５８を押し縮め、ストッパシャフト４３の上端部のネジ孔４４にビス４５をネジ込む。
このようにするとセットスプリング５８の弾性によって、制御カム３０が通孔２１側へ付勢され、その軸筒部４６の上端部が前記ビス４５の頭部に当接して移動を規制され、またセットスプリング５７の弾性によって、ストッパ２８が筒状ガイド３６の外側へ付勢される。
【００３３】
この後、装置本体２６の他端部のネジ孔３３にキャスタ−２７の取付ボルト３４をねじ込み、該キャスタ−２７を取り付ける。この場合、脚柱１４に装置本体２６を組み付け後、キャスタ−２７を取り付けることも可能である。
そして、操作カム３１の係合歯５４をカム室２９上方のガイド溝４０に嵌合し、かつその凹孔５３を前記軸筒部４６の上端部に挿入して、操作カム３１を装置本体２６上に立位状態で保持する。
その際、操作カム３１の上端部にキャップ５６を予め嵌着若しくは接着して置き、そのキャップ５６の位置を脚柱１４の通孔２１に対応して位置付ける。この状況は図４のようである。
【００３４】
このようなアセンブリ状態のストッパ装置２５を、例えばテ−ブル組み立て前の脚柱１４に取り付ける場合は、前記ストッパ装置２５を脚柱１４の後端部の凹溝２０直下に位置付け、該凹溝２０に装置本体２６を収容し、操作カム３１の上端部を通孔２１に挿入するとともに、軸筒部３２を凹孔２２に挿入する。
そして、各脚片３５,５９のビス孔３６,６０をネジ孔２３,２４に位置合わせしたところで、該ビス孔３６,６０にビス（図示略）を挿入し、かつこれをネジ孔２３,２４にねじ込んで、装置本体２６を取り付ける。
【００３５】
前記装置本体２６の取り付けと相前後して、脚柱１４の前端部のネジ孔１９にキャスタ−１７の取付ボルト１８をねじ込み、該キャスタ−１７を取り付ける。
次に、継手板８を予め溶接した支柱７を用意し、該支柱７の下端部を脚柱１４の位置決め突起１５に差し込み、一方、脚柱１４の下方からボルト（図示略）をボルト挿通孔１６に挿入し、前記ボルトを支柱７の下端部に設けたネジ孔（図示略）にねじ込んで、支柱７を取り付ける。この状況は図１０のようである。
【００３６】
このように脚柱１４と支柱７とを略Ｔ字形状に組み立てた状態で、天板１等と別個に梱包し、保管および搬送する。
このような組み立て状態では、制御カム３０がセットスプリング５８の弾性によって上方へ付勢され、ドグ５０の上端部の係合突起５１が、ガイドカム３９の下端部の切欠部４１に係合し、またはガイド溝４０に係合し、該係合突起５１に操作カム３１の係合爪５５が噛合している。
この場合、前記操作カム３１はガイド溝４０に沿って若干移動し得るが、係合歯５４の上端部が凹溝２０の底部に係合可能に配置されているため、操作カム３１が通孔２１から抜け出ることはない。
【００３７】
そして、前記アセンブリを用いてテ−ブルを組み立てる場合は、概略すると前記アセンブリを左右一対分用意し、これらを一定距離離間して連結軸５で連結し、該連結軸５に固定したブラケット４に天板１を取り付けた補強枠２をピン連結すれば良い。
【００３８】
こうして組み立てたテ−ブルの使用時は図１乃至図３のようで、制御カム３０がセットスプリング５８の弾性によって上方へ付勢され、ドグ５０の上端部がガイドカム３９の下端部の切欠部４１に係合して、制御カム３０の上動を阻止し、係合突起５１の内側部が操作カム３１の下端部の係合爪５５に噛合して、操作カム３１を支持している。
【００３９】
したがって、セットスプリング５７の弾性によってストッパ２８が下方へ付勢され、該ストッパ２８が筒状ガイド３６の下方へ押し出されて床面４２を押圧し、その押圧力と摩擦力によって、キャスタ−１７,２７による移動を阻止する。このため、テ−ブルが定位置を維持し、安全かつ安定したテ−ブルの使用状態を得られる。
その際、操作カム３１は係合突起５１に支持されて立位し、その上端部が脚柱１４の上面より若干突出した状態に置かれる。この状況は図３のようである。
【００４０】
このようなテ−ブルの使用後、天板１を折り畳んで移動する場合は、操作カム３１の前記突出部に例えば足を載せ、これをセットスプリング５７,５８の弾性に抗して押し下げる。
このようにすると、操作カム３１の係合歯５４がガイド溝４０に沿って下方へ摺動し、下端部の係合爪５５が制御カム３０のドグ５０の係合突起５１と係合して、制御カム３０を押し下げ、前記係合突起５１と切欠部４１との係合が解除される。
【００４１】
その際、操作カム３１は係合歯５４とガイド溝４０との係合によって回動を拘束され、一方、制御カム３０は係合爪５５と係合突起５１との係合によって、ガイドカム３９の略半分幅分、つまり係合歯４９の半ピッチ分、約３０°円周方向へ押し回され、係合突起５１がガイド溝４０の直下へ移動する。この状況は図９のようで、この状況はドグ５０と係合突起５１との係合解除音によって知り得る。
【００４２】
そこで、操作カム３１の上端部から足を離すと、制御カム３０がセットスプリング５８の弾性によって押し上げられ、係合歯４９ないしドグ５０がガイド溝４０に沿って上動し、前記ドグ５０に係合する操作カム３１が押し上げられる。
前記操作カム３１は、係合歯５４を介しガイド溝４０に沿って上動し、該カム３１の上端部が脚柱１４の上面から突出する。この突出状態は図１２のようで、図３のストッパ操作時よりも上方に突出し、この突出状態の相違によってストッパ解除状態を視認できる。
この場合、操作カム３１は係合歯５４がガイド溝４０と終始係合し、その回動が拘束されているから、ストッパ操作の前後において同相の平面形状を維持する。
【００４３】
一方、操作カム３１の上動に伴なって、操作カム３１の上端部がビス４５の頭部と係合し、該ビス４５をねじ込んだストッパシャフト４３が引き上げられる。
このため、ストッパシャフト４３と一体的なストッパ２８が上動し、該ストッパ２８が床面４２から浮上し、キャスタ−１７,２７による移動が可能になる。
この後、テ−ブルを適所へ移動し、図１１のようなスタッキングが可能になる。
【００４４】
そして、テ−ブルを所定位置へ移動後、操作カム３１の突出部に例えば足を載せ、これをセットスプリング５７,５８の弾性に抗して押し下げ、操作カム３１と係合下の制御カム３０を押し下げる。
このようにすると、操作カム３１の係合歯５４がガイド溝４０に沿って下方へ摺動し、係合爪５５が制御カム３０のドグ５０の上端部と係合して、制御カム３０をガイドカム３９の略半分幅分、つまり係合歯４９の半ピッチ相当の約３０°円周方向へ前述と同方向に押し回し、係合突起５１を切欠部４１に係合させる。
【００４５】
このため、制御カム３０のカム板４８が下方へ移動してセットスプリング５７が押し縮められ、該スプリング５７の弾性によって、ストッパ２８が筒状ガイド３６の下方へ押し出され、ストッパ２８を機能させて床面４２を押圧する。
したがって、キャスタ−１７,２７による移動が阻止され、テ−ブルを定位置で安全に制止し、テ−ブルの安定したスタッキングないし保管状態を得られる。
この状況は図３のようで、操作カム３１の上端部が脚柱１４から若干突出している。
【００４６】
このようなストッパ操作は操作カム３１に対し、セットスプリング５７,５８の弾性に抗する押し下げを要するが、ストッパ作用時はキャスタ−１７,２７が床面４２上に位置し、その一方を浮上させる必要がないから、従来のようにキャスタ−の一方を浮上させるストッパ操作に比べ、その操作力を軽減し得る。
【００４７】
この後、テ−ブルの使用に際して、テ−ブルを移動する場合は、操作カム３１の突出部に例えば足を載せ、これをセットスプリング５７,５８の弾性に抗して押し下げ、操作カム３１と係合下の制御カム３０を押し下げて、係合突起５１と切欠部４１との係合を解除する。
【００４８】
そして、係合爪５５を係合突起５１に係合し、制御カム３０をガイドカム３９の略半分幅分、つまり係合歯４９の半ピッチ相当分、約３０°円周方向へ前述と同方向に押し回し、ドグ５５をガイド溝４０の位置へ移動する。
このため、セットスプリング５８の弾性によって、制御カム３０が押し上げられ、これに操作カム３１とストッパシャフト４３とが同動して、ストッパ２８が床面４２から浮上し、テ−ブルの移動が可能になる。
【００４９】
そこで、テ−ブルを所定位置へ移動し、操作カム３１の上端部に例えば足を載せ、これをセットスプリング５７,５８の弾性に抗して押し下げ、操作カム３１と係合下の制御カム３０を押し下げ、係合爪５５を係合突起５１に係合する。
こうして、制御カム３０をガイドカム３９の略半分幅分、前述と同方向へ押し回し、係合突起５１を切欠部４１に係合させてカム板４８を下方へ移動し、セットスプリング５７を押し縮める。
【００５０】
前記セットスプリング５７の弾性によって、ストッパ２８を筒状ガイド３６の下方へ押し出し、床面４２を押圧してストッパ２８を機能させ、キャスタ−１７,２７による移動を阻止し、テ−ブルを定位置で制止する。
この後、レバ−ハンドル６３を操作し、天板１を使用位置へ回動すれば、テ−ブルの安定した使用状態を得られる。
【００５１】
このようなストッパ操作は前述のように、操作カム３１に対しセットスプリング５７,５８の弾性に抗する押し下げを要するが、ストッパ作用時はキャスタ−１７,２７が床面４２上に位置し、その一方を浮上させる必要がないから、従来のようにキャスタ−の一方を浮上させるストッパ操作に比べ、その操作力を軽減し得る。
また、ストッパ作用時、つまりテ−ブル使用時は、キャスタ−１７,２７が床面４２上に位置しているから、天板１の水平面が維持され、天板１の安定した使用状態を得られる
【産業上の利用可能性】
【００５２】
このように本発明のテ−ブル等のストッパ装置は、ストッパ操作の労力を軽減し、一様な操作で容易かつ速やかに操作できるとともに、ストッパ装置の強度を低減し構成を簡潔化して、これを安価に製作でき、しかもストッパ使用時における天板の水平状態を維持して、天板ないしテ−ブルの安定した使用状態を得られるようにしたから、例えば移動可能なテ−ブルのストッパ装置に好適である。
【図面の簡単な説明】
【００５３】
【図１】本発明を適用した折り畳みテ−ブルを示す正面図である。
【図２】図１の右側面図である。
【図３】本発明の要部を拡大して示す断面図で、ストッパ操作時の状況を示している
【図４】本発明の要部を分解して示す斜視図である。
【図５】本発明に適用した脚柱を示す底面図である。
【図６】本発明に適用した装置本体を示す平面図である。
【００５４】
【図７】図６のＡ−Ａ線に沿う断面図である。
【図８】本発明に適用したカム室内のガイド溝およびガイドカムと、制御カムとのストッパ操作時における係合状況を示す断面図である。
【図９】本発明に適用したカム室内のガイド溝およびガイドカムと、制御カムとのストッパ解除時における係合状況を示す断面図である。
【図１０】本発明の組み付け状況の要部を分解して示す斜視図である。
【図１１】本発明を適用した折り畳みテ−ブルのスタッキング状況を示す側面図である。
【図１２】本発明の要部を拡大して示す断面図で、ストッパ解除時の状況を示している。
【符号の説明】
【００５５】
１４      脚柱
１７      キャスタ−
２５      ストッパ装置
２６      装置本体
２７      キャスタ−
２８      ストッパ
２９      カム室
３０      制御手段（制御カム）  
３１      操作手段（操作カム）  
【００５６】
３９      ガイドカム
４０      ガイド溝
４２      床面
４９      係合歯
５０      ドグ
５４      係合歯
【図１】
2006223484.tif 000003
【図２】
2006223484.tif 000004
【図３】
2006223484.tif 000005
【図４】
2006223484.tif 000006
【図５】
2006223484.tif 000007
【図６】
2006223484.tif 000008
【図７】
2006223484.tif 000009
【図８】
2006223484.tif 000010
【図９】
2006223484.tif 000011
【図１０】
2006223484.tif 000012
【図１１】
2006223484.tif 000013
【図１２】
2006223484.tif 000014